(57)【要約】【課題】操作性の良い、射出成形機の提供。【解決手段】入力操作を受け付ける操作部と、操作画面を表示する表示部と、前記操作部の入力操作に応じた操作画面を前記表示部に表示させる制御部とを備え、前記操作画面は、操作画面の検索に用いる検索部を有する、射出成形機。【選択図】図３
2015182087.tif 000002
【特許請求の範囲】
【請求項１】
入力操作を受け付ける操作部と、
操作画面を表示する表示部と、
前記操作部の入力操作に応じた操作画面を前記表示部に表示させる制御部とを備え、
前記操作画面は、操作画面の検索に用いる検索部を有する、射出成形機。
【請求項２】
前記操作画面は、前記検索部の操作に伴い、前記検索に用いる情報の入力欄を表示する、請求項１に記載の射出成形機。
【請求項３】
前記制御部は、前記検索に用いる情報の履歴を記憶する、請求項２に記載の射出成形機。
【請求項４】
前記操作画面は、前記検索の結果を表示する、請求項１〜３のいずれか１項に記載の射出成形機。
【請求項５】
前記操作部は、前記検索の結果からの選択を受け付け、
前記制御部は、前記選択に応じた操作画面の少なくとも一部を前記表示部に表示させる、請求項４に記載の射出成形機。
【請求項６】
前記制御部は、前記選択の履歴を記憶する、請求項５に記載の射出成形機。
【請求項７】
入力操作を受け付ける操作部と、操作画面を表示する表示部と、前記操作部の入力操作に応じた操作画面を前記表示部に表示させる制御部とを備える射出成形機の操作画面であって、
前記操作画面は、操作画面の検索に用いる検索部を有する、射出成形機の操作画面。
【発明の詳細な説明】
【技術分野】
【０００１】
本発明は、射出成形機、および射出成形機の操作画面に関する。
【背景技術】
【０００２】
射出成形機は、入力操作を受け付ける操作部と、操作画面を表示する表示部と、操作部の入力操作に応じた操作画面を表示部に表示させる制御部とを備える（例えば、特許文献１参照）。
【先行技術文献】
【特許文献】
【０００３】
【特許文献１】特開２００５−１９９５９３号公報
【発明の概要】
【発明が解決しようとする課題】
【０００４】
操作画面が目的に応じて多数用意されており、目的の操作画面を表示させる操作が複雑であった。
【０００５】
本発明は、上記課題に鑑みてなされたものであって、操作性に優れた、射出成形機の提供を主な目的とする。
【課題を解決するための手段】
【０００６】
上記課題を解決するため、本発明の一態様によれば、
入力操作を受け付ける操作部と、
操作画面を表示する表示部と、
前記操作部の入力操作に応じた操作画面を前記表示部に表示させる制御部とを備え、
前記操作画面は、操作画面の検索に用いる検索部を有する、射出成形機が提供される。
【発明の効果】
【０００７】
本発明の一態様によれば、操作性に優れた、射出成形機が提供される。
【図面の簡単な説明】
【０００８】
【図１】本発明の一実施形態による射出成形機の一部を破断して示す図である。
【図２】本発明の一実施形態による複数の操作画面の関係を示す図である。
【図３】本発明の一実施形態による複数の操作画面のうちの１つを示す図である。
【図４】本発明の一実施形態による制御部による処理を示すフローチャートである。
【図５】本発明の一実施形態による検索メニュー画像を示す図である。
【図６】本発明の一実施形態による検索結果画像を示す図である。
【発明を実施するための形態】
【０００９】
以下、本発明を実施するための形態について図面を参照して説明するが、各図面において、同一の又は対応する構成については同一の又は対応する符号を付して説明を省略する。
【００１０】
図１は、本発明の一実施形態による射出成形機の一部を破断して示す図である。図１に示すように、射出成形機は、フレームＦｒ、型締装置１０、射出装置５０、およびコントローラ７０を有する。
【００１１】
型締装置１０は、金型装置３０の型閉、型締、型開を行う。型締装置１０は、例えば図１に示すように、固定プラテン１２、可動プラテン１３、リヤプラテン１５、タイバー１６、トグル機構２０、および型締モータ２６を有する。型締装置１０の説明では、型閉時の可動プラテン１３の移動方向（図１中右方向）を前方とし、型開時の可動プラテン１３の移動方向（図１中左方向）を後方として説明する。
【００１２】
固定プラテン１２は、フレームＦｒに対して固定される。固定プラテン１２における可動プラテン１３との対向面に固定金型３２が取り付けられる。
【００１３】
可動プラテン１３は、フレームＦｒ上に敷設されるガイド（例えばガイドレール）１７に沿って移動自在とされ、固定プラテン１２に対して進退自在とされる。可動プラテン１３における固定プラテン１２との対向面に可動金型３３が取り付けられる。固定金型３２と可動金型３３とで金型装置３０が構成される。
【００１４】
固定プラテン１２に対して可動プラテン１３を進退させることにより、型閉、型締、型開が行われる。
【００１５】
リヤプラテン１５は、複数本（例えば４本）のタイバー１６を介して固定プラテン１２と連結され、フレームＦｒ上に型開閉方向に移動自在に載置される。尚、リヤプラテン１５は、フレームＦｒ上に敷設されるガイドに沿って移動自在とされてもよい。リヤプラテン１５のガイドは、可動プラテン１３のガイド１７と共通のものでよい。
【００１６】
尚、本実施形態では、固定プラテン１２がフレームＦｒに対して固定され、リヤプラテン１５がフレームＦｒに対して型開閉方向に移動自在とされるが、リヤプラテン１５がフレームＦｒに対して固定され、固定プラテン１２がフレームＦｒに対して型開閉方向に移動自在とされてもよい。
【００１７】
タイバー１６は、型開閉方向に平行とされ、型締力に応じて伸びる。少なくとも１本のタイバー１６には型締力検出器１８が設けられる。型締力検出器１８は、歪みゲージ式であってよく、タイバーの歪みを検出することによって型締力を検出する。
【００１８】
尚、型締力検出器１８は、歪みゲージ式に限定されず、圧電式、容量式、油圧式、電磁式などでもよく、その取り付け位置もタイバー１６に限定されない。
【００１９】
トグル機構２０は、可動プラテン１３とリヤプラテン１５との間に配設され、可動プラテン１３およびリヤプラテン１５にそれぞれ取り付けられる。トグル機構２０が型開閉方向に伸縮することにより、リヤプラテン１５に対して可動プラテン１３が進退する。
【００２０】
型締モータ２６は、トグル機構２０を介して可動プラテン１３を移動させる。型締モータ２６とトグル機構２０との間には、型締モータ２６の回転運動を直線運動に変換してトグル機構２０に伝達する運動変換部としてのボールねじ機構が設けられる。
【００２１】
型締モータ２６が可動プラテン１３を前進させることにより、型閉が行われる。型閉完了後、型締モータ２６による推進力にトグル倍率を乗じた型締力が生じ、型締力によって型締が行われる。型締時に可動金型３３と固定金型３２との間にキャビティ空間３４が形成され、キャビティ空間３４に液状の成形材料が充填される。キャビティ空間３４内の成形材料は、固化され、成形品となる。その後、型締モータ２６は可動プラテン１３を後退させることにより、型開が行われる。
【００２２】
射出装置５０は、金型装置３０内に成形材料を充填する。射出装置５０は、シリンダ５１、スクリュ５２、計量モータ５３、および射出モータ５４を有する。射出装置５０の説明では、型締装置１０の説明と異なり、充填時のスクリュ５２の移動方向（図１中左方向）を前方とし、計量時のスクリュ５２の移動方向（図１中右方向）を後方として説明する。
【００２３】
シリンダ５１は供給口５１ａから供給された成形材料を加熱する。供給口５１ａはシリンダ５１の後部に形成される。シリンダ５１の外周には、ヒータなどの加熱源が設けられる。シリンダ５１の前端にはノズル５６が設けられる。
【００２４】
スクリュ５２は、シリンダ５１内において回転自在に且つ進退自在に配設される。
【００２５】
計量モータ５３は、スクリュ５２を回転させることにより、スクリュ５２の螺旋状の溝に沿って成形材料を前方に送る。成形材料は、前方に送られながら、シリンダ５１からの熱によって徐々に溶融される。液状の成形材料がスクリュ５２の前方に送られシリンダ５１の前部に蓄積されるにつれ、スクリュ５２が後退させられる。
【００２６】
射出モータ５４は、スクリュ５２を前進させることにより、スクリュ５２の前方に蓄積された液状の成形材料を金型装置３０のキャビティ空間３４に充填させる。その後、射出モータ５４は、スクリュ５２を前方に押し、キャビティ空間３４内の成形材料に圧力をかける。ショートやヒケなどによる不足分の成形材料が補充できる。
【００２７】
尚、本実施形態の射出装置は、インライン・スクリュ方式であるが、プリプラ方式でもよい。プリプラ方式の射出装置は、可塑化シリンダ内で溶融された成形材料を射出シリンダに供給し、射出シリンダから金型装置内に成形材料を射出する。可塑化シリンダ内にはスクリュが回転自在にまたは回転自在に且つ進退自在に配設され、射出シリンダ内にはプランジャが進退自在に配設される。プリプラ式の射出装置は、スクリュを回転させるモータ、プランジャを進退させるモータなどを有する。
【００２８】
コントローラ７０は、型締装置１０や射出装置５０を制御する。コントローラ７０は、操作部７１、表示部７２、および制御部７５を有する。操作部７１および表示部７２は一体に設けられてよく、操作部７１と表示部７２とでタッチパネル７３が構成されてよい。
【００２９】
操作部７１は、操作者の入力操作を受け付け、操作者の入力操作に応じた操作信号を制御部７５に出力する。
【００３０】
表示部７２は、制御部７５による制御下で、操作部７１の入力操作に応じた操作画面を表示する。操作者は、表示部７２で表示される操作画面を見ながら、操作部７１を操作することにより型締装置１０や射出装置５０などの設定を行う。
【００３１】
制御部７５は、メモリなどの記憶部７６およびＣＰＵ（Central Processing Unit）７７を有し、記憶部７６に記憶される制御プログラムをＣＰＵ７７に実行させることにより、型締装置１０、射出装置５０、および表示部７２を制御する。
【００３２】
尚、本実施形態では、操作部７１と表示部７２とが一体に設けられるが、別々に設けられてもよい。また、操作部７１は複数設けられてもよい。
【００３３】
図２は、本発明の一実施形態による複数の操作画面の関係を示す図である。図２に示すように、操作画面は目的に応じて多数用意される。操作者は、表示部７２で表示される操作画面を見ながら操作部７１を操作することにより、目的の操作画面を表示部７２に表示させる。
【００３４】
図３は、本発明の一実施形態による複数の操作画面のうちの１つを示す図である。操作画面８０は、画面名称８１、設定項目８２などを含む。各設定項目８２は、設定項目の名称８２ａ、設定項目の条件入力欄８２ｂなどを含む。操作画面８０は、操作画面の検索に用いる検索部としての検索開始ボタン８３を有する。
【００３５】
図４は、本発明の一実施形態による制御部による処理を示すフローチャートである。図４に示す処理は、検索開始ボタン８３の操作に伴い開始される。
【００３６】
図４に示すステップＳ１２において、制御部７５は図５に示す検索メニュー画像８４をポップアップ表示させる。
【００３７】
図５は、本発明の一実施形態による検索メニュー画像を示す図である。検索メニュー画像８４は、入力欄８５、入力キー８６、検索実行ボタン８７などを有する。操作者は、入力キー８６の操作により、検索に用いる情報を入力欄８５に入力する。
【００３８】
入力欄８５に入力する情報（以下、「入力情報」ともいう）は、設定項目８２の名称８２ａなどに含まれる単語でもよいし、記憶部７６に予め登録した名称でもよい。記憶部７６は、予め登録される名称と、上記単語とを対応付けて記憶する。
【００３９】
入力情報は複数でもよく、複数の入力情報はＡＮＤ検索、ＯＲ検索などのいずれに用いられてもよい。ＡＮＤ検索およびＯＲ検索などを選択する選択部が操作画面８０に設けられてもよい。
【００４０】
図４に示すステップＳ１４において、制御部７５は検索実行ボタン８７の操作の有無を監視する。検索実行ボタン８７が操作されると（ステップＳ１４、ＹＥＳ）、制御部７５は入力情報を用いて操作画面８０の検索を行う（ステップＳ１６）。この検索は、記憶部７６に記憶されたデータを参照して行われる。
【００４１】
記憶部７６は、操作画面８０毎に、操作画面８０が属する分類と、操作画面８０の画面名称８１と、操作画面８０に含まれる設定項目８２と、各設定項目８２の識別情報（ＩＤ）とを予め記憶する。操作画面８０の分類としては、例えば「射出・計量」、「型締」、「工程」などが挙げられる。操作画面８０は、複数の分類のいずれかに分類される。画面名称８１としては、例えば「可塑化」、「型開閉」、「段取」などが挙げられる。
【００４２】
制御部７５は、記憶部７６のデータを参照して、入力情報に対応する設定項目（例えば入力情報を含む名称の設定項目）を選び出し、選び出した設定項目毎に各種情報をまとめる。各種情報としては、設定項目の識別情報（ＩＤ）、設定項目の名称、設定項目が含まれる操作画面の画面名称、設定項目が含まれる操作画面の分類が挙げられる。
【００４３】
続いて、制御部７５は、図６に示す検索結果画像８８を作成し（ステップＳ１８）、表示部７２に表示させる（ステップＳ２０）。図６に示す検索結果画像８８は、図５に示す検索メニュー画像８４の代わりに表示されてよい。
【００４４】
図６は、本発明の一実施形態による検索結果画像を示す図である。検索結果画像８８は、一覧表の形態で表示されてよく、選び出された設定項目毎に各種情報や切換ボタン８９を表示する。操作者は、必要に応じてスクロールバー９０を操作し、いずれかの切換ボタン８９を操作することによって、検索結果からの選択を行う。
【００４５】
尚、本実施形態の切換ボタン８９は、各種情報の欄とは別の欄に設けられるが、各種情報の欄に重ねて設けられてもよく、設定項目の名称の欄や画面名称の欄などが切換ボタンとして用いられてもよい。
【００４６】
制御部７５は、検索結果画像８８において設定項目を所定の順序で並べてよい。その順序としては、選択頻度の順、選択日時の順、操作者によって予め指定された順などが挙げられる。
【００４７】
制御部７５は、予め登録された複数種類の順序から、検索結果画像８８における設定項目の順序を選択してよい。この選択は、所定の入力操作に従って行われる。
【００４８】
図４に示すステップＳ２２において、制御部７５は、検索結果からの選択の有無を監視する。検索結果からの選択が行われると（ステップＳ２２、ＹＥＳ）、制御部７５は選択された設定項目を含む操作画面を表示部７２に表示させ（ステップＳ２４）、今回の処理を終了する。これにより、目的の操作画面が表示でき、操作性が向上できる。
【００４９】
操作画面は、選択された設定項目を強調表示してよい。強調表示は、囲み線表示、太線表示、点滅表示、拡大表示、表示色の変更（名称の文字色の変更、条件入力欄の背景色と文字色との逆転など）、カーソルキーポイントなどの矢印による位置表示、その他の設定項目などの非表示などのいずれでもよく、複数の組み合わせでもよい。その他の設定項目の非表示が行われる場合、操作画面の一部のみが表示される。
【００５０】
尚、本実施形態では、操作者は、設定項目８２の名称８２ａに含まれる単語などを入力欄８５に入力するが、画面名称８１に含まれる単語などを入力欄８５に入力してもよい。従って、制御部７５は、検索時に、入力情報に対応する画面名称（例えば入力情報を含む画面名称）を選び出してもよい。
【００５１】
ところで、図３などに示すように、操作画面８０は、第１読出部９１、および第２読出部９２を有する。第１読出部９１および第２読出部９２は、記憶部７６に記憶されたデータを操作画面に表示させるものである。
【００５２】
記憶部７６は、入力情報の履歴を記憶する。制御部７５は、第１読出部９１の操作に伴って入力情報の履歴を操作画面に表示させ、履歴からの入力情報の入力を可能とする。同じ入力情報で再度検索を行うときに、入力キー８６の操作が省略できる。
【００５３】
記憶部７６は、検索結果からの選択の履歴を記憶する。制御部７５は、第２読出部９２の操作に伴って選択の履歴を操作画面に表示させ、履歴からの選択を可能とする。履歴からの選択に応じた操作画面が表示部７２で表示される。同じ操作画面を表示させるときに、入力キー８６の操作および検索結果からの選択が省略できる。
【００５４】
以上、射出成形機の実施形態等について説明したが、本発明は上記実施形態等に限定されるものではなく、特許請求の範囲に記載された本発明の要旨の範囲内において、種々の変形、改良が可能である。
【符号の説明】
【００５５】
１０  型締装置
１２  固定プラテン
１３  可動プラテン
２６  型締モータ
３０  金型装置
３２  固定金型
３３  可動金型
５０  射出装置
７０  コントローラ
７１  操作部
７２  表示部
７５  制御部
７６  記憶部
７７  ＣＰＵ
８０  操作画面
８１  操作画面の画面名称
８２  操作画面の設定項目
８２ａ  設定項目の名称
８２ｂ  設定項目の条件入力欄
８３  検索開始ボタン
８４  検索メニュー画像
８５  入力欄
８６  入力キー
８７  検索実行ボタン
８８  検索結果画像
８９  切換ボタン
９０  スクロールバー
９１  第１読出部
９２  第２読出部
【図１】
2015182087.tif 000003
【図２】
2015182087.tif 000004
【図３】
2015182087.tif 000005
【図４】
2015182087.tif 000006
【図５】
2015182087.tif 000007
【図６】
2015182087.tif 000008